(57)【特許請求の範囲】
【請求項１】
方法であって、前記方法は、
第１の周波数場所を伴うアンカキャリアを使用して、１つ以上の同期信号を伝送することと、
第２の周波数場所を伴う非アンカキャリアを使用して、システム情報ブロックを伝送することであって、マスタ情報ブロックは、前記アンカキャリアを使用して伝送され、前記マスタ情報ブロックは、前記非アンカキャリアの前記第２の周波数場所の複数のオプションからの１つを示す、ことと
を含み、
前記非アンカキャリアの前記第２の周波数場所の前記複数のオプションの各々は、前記アンカキャリアの単数または複数のキャリア帯域幅によって前記アンカキャリアの前記第１の周波数場所から離間されるような個別の第２の周波数場所を定義する、方法。
【請求項２】
前記１つ以上の同期信号は、一次同期信号および二次同期信号を含む、請求項１に記載の方法。
【請求項３】
前記方法は、前記複数のオプションのうちの少なくとも１つに基づいて、前記二次同期信号のシーケンスを決定することをさらに含む、請求項２に記載の方法。
【請求項４】
方法であって、前記方法は、
第１の周波数場所を伴うアンカキャリア上で変調された１つ以上の同期信号を受信することと、
第２の周波数場所を伴う非アンカキャリア上で変調されたシステム情報ブロックを受信することであって、マスタ情報ブロックは、前記アンカキャリアを使用して伝送され、前記マスタ情報ブロックは、前記非アンカキャリアの前記第２の周波数場所の複数のオプションからの１つを示す、ことと
を含み、
前記非アンカキャリアの前記第２の周波数場所の前記複数のオプションの各々は、前記アンカキャリアの単数または複数のキャリア帯域幅によって前記アンカキャリアの前記第１の周波数場所から離間されるような個別の第２の周波数場所を定義する、方法。
【請求項５】
前記１つ以上の同期信号は、一次同期信号および二次同期信号を含む、請求項４に記載の方法。
【請求項６】
前記方法は、前記二次同期信号のシーケンスに基づいて、前記非アンカキャリアの前記第２の周波数場所を決定することをさらに含む、請求項５に記載の方法。
【請求項７】
送信器を備えた通信ノードであって、
前記送信器は、
第１の周波数場所を伴うアンカキャリアを使用して、１つ以上の同期信号を伝送することと、
第２の周波数場所を伴う非アンカキャリアを使用して、システム情報ブロックを伝送することであって、マスタ情報ブロックは、前記アンカキャリアを使用して伝送され、前記マスタ情報ブロックは、前記非アンカキャリアの前記第２の周波数場所の複数のオプションからの１つを示す、ことと
を行うように構成されており、
前記非アンカキャリアの前記第２の周波数場所の前記複数のオプションの各々は、前記アンカキャリアの単数または複数のキャリア帯域幅によって前記アンカキャリアの前記第１の周波数場所から離間されるような個別の第２の周波数場所を定義する、通信ノード。
【請求項８】
前記１つ以上の同期信号は、一次同期信号および二次同期信号を含む、請求項７に記載の通信ノード。
【請求項９】
前記通信ノードは、前記送信器に結合されている少なくとも１つのプロセッサをさらに備え、前記少なくとも１つのプロセッサは、前記複数のオプションのうちの少なくとも１つに基づいて、前記二次同期信号のシーケンスを決定するように構成されている、請求項８に記載の通信ノード。
【請求項１０】
受信器を備えた通信ノードであって、
前記受信器は、
第１の周波数場所を伴うアンカキャリア上で変調された１つ以上の同期信号を受信することと、
第２の周波数場所を伴う非アンカキャリア上で変調されたシステム情報ブロックを受信することであって、マスタ情報ブロックは、前記アンカキャリアを使用して伝送され、前記マスタ情報ブロックは、前記非アンカキャリアの前記第２の周波数場所の複数のオプションからの１つを示す、ことと
を行うように構成されており、
前記非アンカキャリアの前記第２の周波数場所の前記複数のオプションの各々は、前記アンカキャリアの単数または複数のキャリア帯域幅によって前記アンカキャリアの前記第１の周波数場所から離間されるような個別の第２の周波数場所を定義する、通信ノード。
【請求項１１】
前記１つ以上の同期信号は、一次同期信号および二次同期信号を含む、請求項１０に記載の通信ノード。
【請求項１２】
前記通信ノードは、前記受信器に結合されている少なくとも１つのプロセッサをさらに備え、前記少なくとも１つのプロセッサは、前記二次同期信号のシーケンスに基づいて、前記非アンカキャリアの前記第２の周波数場所を決定するように構成されている、請求項１１に記載の通信ノード。
【発明の詳細な説明】
【技術分野】
【０００１】
本開示は、概して、無線通信に関し、より具体的には、信号を伝送するためのシステムおよび方法に関する。
【背景技術】
【０００２】
モノのインターネット（ＩｏＴ）の高速展開および増加するニーズに従って、新しい無線インターフェースである、狭帯域モノのインターネット（ＮＢ−ＩｏＴ）が、第３世代パートナーシッププロジェクト（３ＧＰＰ）によって提案されている。ＮＢ−ＩｏＴは、既存のモバイル通信用グローバルシステム（ＧＳＭ（登録商標））およびロングタームエボリューション（ＬＴＥ）ネットワークを向上させ、ＩｏＴの使用または用途をより良好にサービス提供することに照準が当てられている。改良された屋内カバレッジは、多数の低スループットエンドデバイス、低遅延感度、超低デバイスコスト、カバレッジ拡張、バッテリ寿命延長をサポートし、上位互換性は、ＮＢ−ＩｏＴのいくつかの例示的目的である。
【０００３】
概して、ＮＢ−ＩｏＴ（以降、「ＮＢ−ＩｏＴシステム」）を採用する無線通信システムでは、ユーザ機器デバイス（ＵＥ）は、セル獲得プロセスを実施することによって、基地局（ＢＳ）のセル内にキャンピングする。そのようなセル獲得プロセスは、典型的には、ＵＥが、最初にオンに切り替えられたときに実施される。続いて、ＵＥは、セルと同期し、次いで、セルの種々の有意な構成情報（例えば、ダウンリンク帯域幅、システムフレーム番号等）を読み出し、獲得プロセスを終了する。既存のＮＢ−ＩｏＴシステムでは、ＵＥは、一次および二次同期信号を受信することによって、セルと同期し、受信されたマスタ情報ブロック（ＭＩＢ）および少なくとも受信された初期システム情報ブロック（ＳＩＢ１）を読み取ることによって、種々の有意な構成情報を読み出す。
【０００４】
より具体的には、既存のＮＢ−ＩｏＴシステムでは、一次および二次同期信号（集合的に、「同期信号」と称される）およびＭＩＢおよびＳＩＢ１（集合的に、「パブリック信号」と称される）は全て、典型的には、「アンカキャリア」として知られる、単一キャリア上において、ＢＳからＵＥに伝送される（例えば、変調される）ために要求される。単一キャリアを使用するそのような要件は、例えば、アンカキャリア上で利用可能なリソースの量（例えば、フレームの数）の実質的低減、アンカキャリア上で伝送されるときのダウンリンク制御情報および／またはデータの受信の遅延等の種々の問題に遭遇し得る。したがって、ＮＢ−ＩｏＴシステムにおける同期信号およびパブリック信号を伝送するための既存の方法は、全体的に満足の行くものではない。
【発明の概要】
【課題を解決するための手段】
【０００５】
本明細書に開示される例示的実施形態は、先行技術に提示される問題のうちの１つ以上のものに関連する問題を解決し、かつ添付の図面と関連して検討されるときに以下の詳細な説明を参照することによって容易に明白となるであろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白となるであろう。
【０００６】
一実施形態では、方法は、第１の周波数場所を伴うアンカキャリアを使用して、１つ以上の同期信号を伝送するステップと、第１の周波数場所と異なる第２の周波数場所を伴う非アンカキャリアを使用して、システム情報ブロックを伝送するステップとを含む。
【０００７】
さらなる実施形態では、本方法は、第１の周波数場所を伴うアンカキャリア上で変調された１つ以上の同期信号を受信するステップと、第１の周波数場所と異なる第２の周波数場所を伴う非アンカキャリア上で変調されたシステム情報ブロックを受信するステップとを含む。
【０００８】
別の実施形態では、通信ノードは、第１の周波数場所を伴うアンカキャリアを使用して、１つ以上の同期信号を伝送し、第１の周波数場所と異なる第２の周波数場所を伴う非アンカキャリアを使用して、システム情報ブロックを伝送するように構成される、送信器を含む。
【０００９】
さらに別の実施形態では、通信ノードは、第１の周波数場所を伴うアンカキャリア上で変調された１つ以上の同期信号を受信し、第１の周波数場所と異なる第２の周波数場所を伴う非アンカキャリア上で変調されたシステム情報ブロックを受信するように構成される、受信器を含む。
例えば、本願は以下の項目を提供する。
（項目１）
方法であって、
第１の周波数場所を伴うアンカキャリアを使用して、１つ以上の同期信号を伝送することと、
上記第１の周波数場所と異なる第２の周波数場所を伴う非アンカキャリアを使用して、システム情報ブロックを伝送することと
を含む、方法。
（項目２）
上記１つ以上の同期信号は、一次同期信号および二次同期信号を含む、項目１に記載の方法。
（項目３）
上記アンカキャリアを使用して伝送される上記二次同期信号は、上記非アンカキャリアの上記第２の周波数場所の複数のオプションからの１つを示す、項目２に記載の方法。
（項目４）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目３に記載の方法。
（項目５）
上記複数のオプションのうちの少なくとも１つに基づいて、上記二次同期信号のシーケンスを決定することをさらに含む、項目４に記載の方法。
（項目６）
上記非アンカキャリアの第２の周波数場所は、事前に定義される、項目１に記載の方法。
（項目７）
マスタ情報ブロックが、上記アンカキャリアを使用して伝送されるとき、上記マスタ情報ブロックは、上記非アンカキャリアの第２の周波数場所の複数のオプションからの１つを示す、項目１に記載の方法。
（項目８）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目７に記載の方法。
（項目９）
方法であって、
第１の周波数場所を伴うアンカキャリア上で変調された１つ以上の同期信号を受信することと、
上記第１の周波数場所と異なる第２の周波数場所を伴う非アンカキャリア上で変調されたシステム情報ブロックを受信することと
を含む、方法。
（項目１０）
上記１つ以上の同期信号は、一次同期信号および二次同期信号を含む、項目９に記載の方法。
（項目１１）
上記アンカキャリア上で変調された上記二次同期信号は、上記非アンカキャリアの上記第２の周波数場所の複数のオプションからの１つを示す、項目１０に記載の方法。
（項目１２）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目１１に記載の方法。
（項目１３）
上記二次同期信号のシーケンスに基づいて、上記非アンカキャリアの第２の周波数場所を決定することをさらに含む、項目１２に記載の方法。
（項目１４）
上記非アンカキャリアの第２の周波数場所は、事前に定義される、項目９に記載の方法。
（項目１５）
マスタ情報ブロックが、上記アンカキャリア上で変調されるとき、上記マスタ情報ブロックは、上記非アンカキャリアの第２の周波数場所の複数のオプションからの１つを示す、項目９に記載の方法。
（項目１６）
上記非アンカキャリアの上記第２の周波数場所の複数のオプションの各々は、上記非アンカキャリアの単数または複数のキャリア帯域幅によって上記アンカキャリアの第１の周波数場所から離間されるような個別の第２の周波数場所を定義する、項目１５に記載の方法。
（項目１７）
通信ノードであって、上記通信ノードは、
送信器であって、上記送信器は、
第１の周波数場所を伴うアンカキャリアを使用して、１つ以上の同期信号を伝送することと、
上記第１の周波数場所と異なる第２の周波数場所を伴う非アンカキャリアを使用して、システム情報ブロックを伝送することと
を行うように構成される、送信器
を備える、通信ノード。
（項目１８）
上記１つ以上の同期信号は、一次同期信号および二次同期信号を含む、項目１８に記載の通信ノード。
（項目１９）
上記アンカキャリアを使用して伝送される上記第１の同期信号は、上記非アンカキャリアの上記第２の周波数場所の複数のオプションからの１つを示す、項目１８に記載の通信ノード。
（項目２０）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目１９に記載の通信ノード。
（項目２１）
少なくとも１つのプロセッサであって、上記少なくとも１つのプロセッサは、上記送信器に結合され、上記複数のオプションのうちの少なくとも１つに基づいて、上記二次同期信号のシーケンスを決定するように構成される、少なくとも１つのプロセッサ
をさらに備える、項目２０に記載の通信ノード。
（項目２２）
上記非アンカキャリアの第２の周波数場所は、事前に定義される、項目１７に記載の通信ノード。
（項目２３）
マスタ情報ブロックが、上記アンカキャリアを使用して伝送されるとき、上記マスタ情報ブロックは、上記非アンカキャリアの第２の周波数場所の複数のオプションからの１つを示す、項目１７に記載の通信ノード。
（項目２４）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目２３に記載の通信ノード。
（項目２５）
通信ノードであって、上記通信ノードは、
受信器であって、上記受信器は、
第１の周波数場所を伴うアンカキャリア上で変調された１つ以上の同期信号を受信することと、
上記第１の周波数場所と異なる第２の周波数場所を伴う非アンカキャリア上で変調されたシステム情報ブロックを受信することと
を行うように構成される、受信器
を備える、通信ノード。
（項目２６）
上記１つ以上の同期信号は、一次同期信号および二次同期信号を含む、項目２５に記載の通信ノード。
（項目２７）
上記アンカキャリア上で変調された上記二次同期信号は、上記非アンカキャリアの第２の周波数場所の複数のオプションからの１つを示す、項目２６に記載の通信ノード。
（項目２８）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目２７に記載の通信ノード。
（項目２９）
少なくとも１つのプロセッサであって、上記少なくとも１つのプロセッサは、上記受信器に結合され、上記二次同期信号のシーケンスに基づいて、上記非アンカキャリアの第２の周波数場所を決定するように構成される、少なくとも１つのプロセッサ
をさらに備える、項目２８に記載の通信ノード。
（項目３０）
上記非アンカキャリアの第２の周波数場所は、事前に定義される、項目２５に記載の通信ノード。
（項目３１）
マスタ情報ブロックが、上記アンカキャリア上で変調されるとき、上記マスタ情報ブロックは、上記非アンカキャリアの第２の周波数場所の複数のオプションからの１つを示す、項目２５に記載の通信ノード。
（項目３２）
上記非アンカキャリアの上記第２の周波数場所の複数のオプションの各々は、上記アンカキャリアの単数または複数のキャリア帯域幅によって上記アンカキャリアの上記第１の周波数場所から離間されるような個別の第２の周波数場所を定義する、項目３１に記載の通信ノード。
【図面の簡単な説明】
【００１０】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【００１１】
【図１】図１は、本開示のある実施形態による、本明細書に開示される技法が実装され得る、例示的セルラー通信ネットワークを図示する。
【００１２】
【図２】図２は、本開示のいくつかの実施形態による、例示的基地局およびユーザ機器デバイスのブロック図を図示する。
【００１３】
【図３Ａ】図３Ａは、本開示のいくつかの実施形態による、それぞれ、アンカキャリアおよび非アンカキャリアの例示的フレーム構造を図示する。
【００１４】
【図３Ｂ】図３Ｂ、３Ｃ、および３Ｄはそれぞれ、本開示のいくつかの実施形態による、それぞれ、スタンドアロンモードおよび非スタンドアロンモードにおいて使用されるときの、図３Ａの非アンカキャリアの複数の周波数場所オプションを図示する。
【図３Ｃ】図３Ｂ、３Ｃ、および３Ｄはそれぞれ、本開示のいくつかの実施形態による、それぞれ、スタンドアロンモードおよび非スタンドアロンモードにおいて使用されるときの、図３Ａの非アンカキャリアの複数の周波数場所オプションを図示する。
【図３Ｄ】図３Ｂ、３Ｃ、および３Ｄはそれぞれ、本開示のいくつかの実施形態による、それぞれ、スタンドアロンモードおよび非スタンドアロンモードにおいて使用されるときの、図３Ａの非アンカキャリアの複数の周波数場所オプションを図示する。
【００１５】
【図４】図４は、本開示のいくつかの実施形態による、それぞれ、アンカキャリアおよび非アンカキャリアの例示的フレーム構造を図示する。
【００１６】
【図５】図５は、本開示のいくつかの実施形態による、それぞれ、アンカキャリアおよび非アンカキャリアの例示的フレーム構造を図示する。
【００１７】
【図６】図６は、本開示のいくつかの実施形態による、それぞれ、アンカキャリアおよび非アンカキャリアの例示的フレーム構造を図示する。
【００１８】
【図７】図７は、本開示のいくつかの実施形態による、それぞれ、アンカキャリアおよび非アンカキャリアの例示的フレーム構造を図示する。
【００１９】
【図８】図８は、本開示のいくつかの実施形態による、それぞれ、アンカキャリアおよび非アンカキャリアの例示的フレーム構造を図示する。
【００２０】
【図９】図９は、本開示のいくつかの実施形態による、それぞれ、アンカキャリアおよび非アンカキャリアの例示的フレーム構造を図示する。
【発明を実施するための形態】
【００２１】
本発明の種々の例示的実施形態は、当業者が本発明を作製および使用することを可能にするために、付随の図を参照して下記に説明される。当業者に明白となるであろうように、本開示を熟読後、本明細書に説明される実施例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００２２】
図１は、本開示の実施形態による、本明細書に開示される技法が実装され得る、例示的無線通信ネットワーク１００を図示する。以下の議論では、無線通信ネットワーク１００は、本明細書では「ネットワーク１００」と称される、ＮＢ−ＩｏＴネットワークであってもよい。そのような例示的ネットワーク１００は、基地局１０２（以降、「ＢＳ１０２」）と、通信リンク１１０（例えば、無線通信チャネル）を介して相互に通信し得る、ユーザ機器デバイス（以降、「ＵＥ１０４」）と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の個別の地理的境界内に含有される。他のセル１３０、１３２、１３４、１３６、１３８、および１４０はそれぞれ、その配分された帯域幅で動作し、適正な無線カバレッジをその意図されるユーザに提供する、少なくとも１つの基地局を含んでもよい。
【００２３】
例えば、ＢＳ１０２は、配分されたチャネル伝送帯域幅で動作し、適正なカバレッジをＵＥ１０４に提供し得る。ＢＳ１０２およびＵＥ１０４は、それぞれ、ダウンリンク無線フレーム１１８およびアップリンク無線フレーム１２４を介して、通信してもよい。各無線フレーム１１８／１２４は、サブフレーム１２０／１２７にさらに分割されてもよく、これは、データシンボル１２２／１２８を含んでもよい。本開示では、ＢＳ１０２およびＵＥ１０４は、概して、本明細書に開示される方法を実践し得る、「通信ノード」の非限定的実施例として本明細書に説明される。そのような通信ノードは、本発明の種々の実施形態によると、無線および／または有線通信することが可能であり得る。
【００２４】
図２は、本発明のいくつかの実施形態による、無線通信信号、例えば、ＯＦＤＭ／ＯＦＤＭＡ信号を伝送および受信する、例示的無線通信システム２００のブロック図を図示する。システム２００は、本明細書に詳細に説明される必要はない、既知または従来の動作特徴をサポートするように構成される、コンポーネントおよび要素を含んでもよい。一例示的実施形態では、システム２００は、上記に説明されるように、図１の無線通信環境１００等の無線通信環境内でデータシンボルを伝送および受信するために使用されることができる。
【００２５】
システム２００は、概して、基地局２０２（以降、「ＢＳ２０２」）と、ユーザ機器デバイス２０４（以降、「ＵＥ２０４」）とを含む。ＢＳ２０２は、ＢＳ（基地局）送受信器モジュール２１０と、ＢＳアンテナ２１２と、ＢＳプロセッサモジュール２１４と、ＢＳメモリモジュール２１６と、ネットワーク通信モジュール２１８とを含み、各モジュールは、必要に応じて、データ通信バス２２０を介して、相互に結合および相互接続される。ＵＥ２０４は、ＵＥ（ユーザ機器）送受信器モジュール２３０と、ＵＥアンテナ２３２と、ＵＥメモリモジュール２３４と、ＵＥプロセッサモジュール２３６とを含み、各モジュールは、必要に応じて、データ通信バス２４０を介して、相互に結合および相互接続される。ＢＳ２０２は、任意の無線チャネルまたは本明細書に説明されるようなデータの伝送のために好適な当技術分野において公知の他の媒体であり得る、通信チャネル２５０を介して、ＵＥ２０４と通信する。
【００２６】
当業者によって理解されるであろうように、システム２００はさらに、図２に示されるモジュール以外の任意の数のモジュールを含んでもよい。当業者は、本明細書に開示される実施形態に関連して説明される、種々の例証的ブロック、モジュール、回路、および処理論理が、ハードウェア、コンピュータ可読ソフトウェア、ファームウェア、または任意の実践的なそれらの組み合わせにおいて実装されてもよいことを理解するであろう。ハードウェア、ファームウェア、およびソフトウェアの本可換性および互換性を明確に図示するために、種々の例証的コンポーネント、ブロック、モジュール、回路、およびステップが、概して、その機能性の観点から説明される。そのような機能性が、ハードウェア、ファームウェア、またはソフトウェアとして実装されるかどうかは、特定の用途および全体的システム上に課される設計制約に依存する。本明細書に説明される概念に精通する者は、そのような機能性を特定の用途毎に好適な様式で実装してもよいが、そのような実装決定は、本発明の範囲を限定するものとして解釈されるべきではない。
【００２７】
いくつかの実施形態によると、ＵＥ送受信器２３０は、本明細書では、それぞれ、アンテナ２３２に結合される、ＲＦ送信器および受信器回路を含む、「アップリンク」送受信器２３０と称され得る。デュプレックススイッチ（図示せず）が、代替として、時間デュプレックス方式において、アップリンク送信器または受信器をアップリンクアンテナに結合してもよい。同様に、いくつかの実施形態によると、ＢＳ送受信器２１０は、本明細書では、それぞれ、アンテナ２１２に結合される、ＲＦ送信器および受信器回路を含む、「ダウンリンク」送受信器２１０と称され得る。ダウンリンクデュプレックススイッチは、代替として、時間デュプレックス方式において、ダウンリンク送信器または受信器をダウンリンクアンテナ２１２に結合してもよい。２つの送受信器２１０および２３０の動作は、アップリンク受信器が、無線伝送リンク２５０を経由した伝送の受信のために、アップリンクアンテナ２３２に結合されるのと同時に、ダウンリンク送信器が、ダウンリンクアンテナ２１２に結合されるように、時間的に協調される。好ましくは、最小限の保護時間のみをデュプレックス方向の変化間に伴って、近接時間同期が存在する。
【００２８】
ＵＥ送受信器２３０および基地局送受信器２１０は、無線データ通信リンク２５０を介して通信し、特定の無線通信プロトコルおよび変調スキームをサポートし得る、好適に構成されたＲＦアンテナ配列２１２／２３２と協働するように構成される。いくつかの例示的実施形態では、ＵＥ送受信器２１０および基地局送受信器２１０は、ロングタームエボリューション（ＬＴＥ）および新しい５Ｇ規格および同等物等の産業規格をサポートするように構成される。しかしながら、本発明は、必ずしも、特定の規格および関連付けられたプロトコルに用途が限定されないことを理解されたい。むしろ、ＵＥ送受信器２３０および基地局送受信器２１０は、将来的規格またはその変形例を含む、代替または付加的無線データ通信プロトコルをサポートするように構成されてもよい。
【００２９】
種々の実施形態によると、ＢＳ２０２は、例えば、進化型ノードＢ（ｅＮＢ）、サービングｅＮＢ、標的ｅＮＢ、フェムトステーション、またはピコステーションであってもよい。いくつかの実施形態では、ＵＥ２０４は、携帯電話、スマートフォン、携帯情報端末（ＰＤＡ）、タブレット、ラップトップコンピュータ、ウェアラブルコンピューティングデバイス等の種々のタイプのユーザデバイスにおいて具現化されてもよい。プロセッサモジュール２１４および２３６は、本明細書に説明される機能を実施するように設計される、汎用プロセッサ、コンテンツアドレス指定可能メモリ、デジタル信号プロセッサ、特定用途向け集積回路、フィールドプログラマブルゲートアレイ、任意の好適なプログラマブル論理デバイス、離散ゲートまたはトランジスタ論理、離散ハードウェアコンポーネント、または任意のそれらの組み合わせとともに実装または実現されてもよい。このように、プロセッサは、マイクロプロセッサ、コントローラ、マイクロコントローラ、状態機械、または同等物として実現され得る。プロセッサはまた、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、または任意の他のそのような構成の組み合わせとして実装されてもよい。
【００３０】
さらに、本明細書に開示される実施形態に関連して説明される方法またはアルゴリズムのステップは、直接、それぞれ、プロセッサモジュール２１４および２３６によって実行される、ハードウェア、ファームウェア、ソフトウェアモジュール、または任意の実践的なそれらの組み合わせにおいて具現化されてもよい。メモリモジュール２１６および２３４は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール２１６および２３４は、それぞれ、プロセッサモジュール２１０および２３０が、それぞれ、メモリモジュール２１６および２３４から情報を読み取り、そこに情報を書き込み得るように、プロセッサモジュール２１０および２３０に結合されてもよい。メモリモジュール２１６および２３４はまた、その個別のプロセッサモジュール２１０および２３０の中に統合されてもよい。いくつかの実施形態では、メモリモジュール２１６および２３４はそれぞれ、それぞれ、プロセッサモジュール２１０および２３０によって実行される命令の実行の間、一時的変数または他の中間情報を記憶するために、キャッシュメモリを含んでもよい。メモリモジュール２１６および２３４はまたそれぞれ、それぞれ、プロセッサモジュール２１０および２３０によって実行されるための命令を記憶するために、不揮発性メモリを含んでもよい。
【００３１】
ネットワーク通信モジュール２１８は、概して、基地局送受信器２１０と、基地局２０２と通信するように構成される、他のネットワークコンポーネントおよび通信ノードとの間の双方向通信を可能にする、基地局２０２のハードウェア、ソフトウェア、ファームウェア、処理論理、および／または他のコンポーネントを表す。例えば、ネットワーク通信モジュール２１８は、インターネットまたはＷｉＭＡＸトラフィックをサポートするように構成されてもよい。典型的展開では、限定ではないが、ネットワーク通信モジュール２１８は、基地局送受信器２１０が、従来のＥｔｈｅｒｎｅｔ（登録商標）ベースのコンピュータネットワークと通信し得るように、８０２．３  Ｅｔｈｅｒｎｅｔ（登録商標）インターフェースを提供する。このように、ネットワーク通信モジュール２１８は、コンピュータネットワーク（例えば、移動交換局（ＭＳＣ））への接続のための物理インターフェースを含んでもよい。
【００３２】
再び図１を参照すると、ＵＥ１０４が、セル獲得プロセスを実施し、ＢＳ１０２のセル１２６内にキャンピングすると、ＵＥ１０４は、それぞれ、同期および構成目的のために、個別の同期信号およびパブリック信号を受信する。既存のＮＢ−ＩｏＴシステムは、同期信号およびパブリック信号が単一キャリア上で伝送されることを要求し、これは、上記に説明されるように、種々の問題を生じさせる。
【００３３】
本開示は、本明細書では、それぞれ、「アンカキャリア」および「非アンカキャリア」と称される、個別の異なるキャリア上で、同期信号およびパブリック信号の少なくとも一部を伝送するためのシステムおよび方法の種々の実施形態を提供する。特に、キャリアが、同期信号を伝送するために使用されるとき、そのようなキャリアは、アンカキャリアと称され、キャリアが、同期信号を伝送するために使用されないとき、そのようなキャリアは、非アンカキャリアと称される。いくつかの実施形態では、アンカキャリアおよび非アンカキャリアは、同一キャリア帯域幅を共有するが、個別の異なる周波数場所を有し、これは、ネットワーク１００のプロトコルによって事前に定義されてもよい。いくつかの他の実施形態では、プロトコルは、アンカキャリアの周波数場所を定義し、アンカキャリアの周波数場所に基づいて、それぞれ、非アンカキャリアのための個別の利用可能な周波数場所に対応する、複数のオプションを提供してもよい。いくつかの実施形態では、アンカキャリア上で伝送される信号は、複数のオプションのうちのどれが非アンカキャリアの周波数場所であるかを示してもよい。故に、アンカキャリア上で伝送される信号内に含有されるインジケーションの受信に応じて、ＵＥ１０４は、インジケーションに従って、非アンカキャリア上で伝送される種々の信号を読み出してもよい。個別の異なるキャリア上で伝送されるべき同期信号およびパブリック信号の少なくとも一部を分離することによって、例えば、アンカキャリア上で伝送されるときのダウンリンク制御情報および／またはデータ上の実質的に低減された受信遅延、アンカキャリア上で伝送されるときのダウンリンク制御情報および／またはデータを受信するための実質的に低減された電力消費等の種々の利点が、提供され得る。
【００３４】
図３Ａは、本開示のいくつかの実施形態による、それぞれ、アンカキャリア３１０および非アンカキャリア３３０の例示的フレーム構造を図示する。いくつかの実施形態では、アンカキャリア３１０および非アンカキャリア３３０が、ＮＢ−ＩｏＴシステム内で使用されるとき、アンカキャリア３１０および非アンカキャリア３３０は、周波数ドメインに沿って、同一キャリア帯域幅「Ｂ」（例えば、１８０ｋＨｚ）を共有する。いくつかの実施形態では、アンカキャリア３１０および非アンカキャリア３３０は、個別の異なる周波数範囲を占有してもよい。換言すると、アンカキャリア３１０および非アンカキャリア３３０の個別の周波数場所は、下記にさらに詳細に議論されるであろう、１つ以上のキャリア帯域幅Ｂによって、相互から離間され得る。
【００３５】
図３Ａの図示される実施形態では、アンカキャリア３１０は、時間ドメインに沿って相互に結合される、フレーム３１０−１、３１０−２、３１０−３、および３１０−４を含み、非アンカキャリア３３０は、時間ドメインに沿って相互に結合される、フレーム３３０−１、３３０−２、３３０−３、および３３０−４を含む。いくつかの実施形態では、アンカキャリア３１０の各フレームは、時間ドメインに沿った非アンカキャリア３３０の個別のフレームに対応する、すなわち、同一時間周期を共有する。例えば、フレーム３１０−１は、フレーム３３０−１と同一時間周期を共有し、フレーム３１０−２は、フレーム３３０−２と同一時間周期を共有し、フレーム３１０−３は、フレーム３３０−３と同一時間周期を共有し、フレーム３１０−４は、フレーム３３０−４と同一時間周期を共有する。４つのみのフレームが、アンカキャリア３１０および非アンカキャリア３３０のそれぞれに図示されるが、アンカキャリア３１０および非アンカキャリア３３０はそれぞれ、本開示の範囲内に留まったまま、任意の所望の数のフレームを有してもよいことを理解されたい。例えば、アンカキャリア３１０は、それぞれ、フレーム３１０−１、３１０−２、３１０−３、および３１０−４から成る、複数のセットを含んでもよく、非アンカキャリア３３０は、それぞれ、フレーム３３０−１、３３０−２、３３０−３、および３３０−４から成る、複数のセットを含んでもよく、アンカキャリア３１０および非アンカキャリア３３０の個別のセットは、周期的に、繰り返される。いくつかの実施形態では、アンカキャリアおよび非アンカキャリア内の個別のフレームのそのような周期的反復は、個別のフレームの周期的反復の議論が下記に繰り返されないであろうように、図４、５、６、７、８、および９に提供される実施例に適用可能であり得る。
【００３６】
いくつかの実施形態では、アンカキャリア３１０および非アンカキャリア３３０の個別のフレームはそれぞれ、それぞれ、サブフレームインデックス番号、例えば、０、１、２、３、４、５、６、７、８、または９と関連付けられる、１０のサブフレームを含む。図示されないが、アンカキャリア３１０および非アンカキャリア３３０の各サブフレームは、複数のシンボル（例えば、１４のシンボル）を有し、それぞれ、シーケンス値またはデータを搬送し得ることが、当業者によって理解される。さらに、図３Ａの図示される実施形態では、同期信号は、一次同期信号（ＰＳＳ）および二次同期信号（ＳＳＳ）を含み、マスタ情報ブロック（ＭＩＢ）を含む、パブリック信号の一部は、アンカキャリア３１０上で伝送され、初期システム情報ブロック（ＳＩＢ１）を含む、パブリック信号の一部は、非アンカキャリア３３０上で伝送される。いくつかの実施形態では、ＮＢ−ＩｏＴシステムにおいて、ＰＳＳ、ＳＳＳ、ＭＩＢ、およびＳＩＢ１は、それぞれ、「狭帯域ＰＳＳ（ＮＰＳＳ）」、「狭帯域ＳＳＳ（ＮＳＳＳ）」、「ＭＩＢ−狭帯域（ＭＩＢ−ＮＢ）」、および「ＳＩＢ１−狭帯域（ＳＩＢ１−ＮＢ）」とも称される。一貫性の目的のために、用語「ＰＳＳ」、「ＳＳＳ」、「ＭＩＢ」、および「ＳＩＢ１」が、以下の議論において一貫して使用される。
【００３７】
より具体的には、いくつかの実施形態では、ＰＳＳは、フレーム３１０−１のサブフレーム番号０、フレーム３１０−２のサブフレーム番号０、フレーム３１０−３のサブフレーム番号０、およびフレーム３１０−４のサブフレーム番号０上で伝送され、ＳＳＳは、フレーム３１０−１のサブフレーム番号５およびフレーム３１０−３のサブフレーム番号５上で伝送され、ＭＩＢは、フレーム３１０−２のサブフレーム番号５およびフレーム３１０−４のサブフレーム番号５上で伝送される。ＳＩＢ１は、フレーム３３０−１のサブフレーム番号０およびフレーム３３０−３のサブフレーム番号０上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア３１０および非アンカキャリア３３０は、ＳＩＢ１によって使用されるサブフレームを、それぞれ、時間ドメインに沿って、ＰＳＳによって使用されるサブフレームの少なくとも一部と整合させる、時間ドメインデュプレックス（ＴＤＤ）伝送モードを利用する、ＮＢ−ＩｏＴシステムにおいて使用されてもよいことに留意されたい。
【００３８】
上記に述べられたように、本開示のいくつかの実施形態によると、アンカキャリア上で伝送される信号のうちの１つは、非アンカキャリアの複数の周波数場所オプションからの非アンカキャリアの周波数場所を示してもよく、非アンカキャリアのそのような複数の周波数場所は、ＮＢ−ＩｏＴシステムのプロトコルによって事前に定義される。図３Ｂ、３Ｃ、および３Ｄはそれぞれ、ＮＢ−ＩｏＴシステムが、それぞれ、スタンドアロンモードおよび非スタンドアロンモード下で動作するときの、非アンカキャリアのそのような複数の周波数場所オプションの２つの実施例を提供する。当業者によって理解されるように、ＮＢ−ＩｏＴシステムが、スタンドアロンモード下で動作するとき、アンカキャリア３１０および非アンカキャリア３３０はそれぞれ、モバイル通信用グローバルシステム（ＧＳＭ（登録商標））周波数内に常駐し、ＮＢ−ＩｏＴシステムが、非スタンドアロンモード下で動作するとき、アンカキャリア３１０および非アンカキャリア３３０はそれぞれ、ロングタームエボリューション（ＬＴＥ）周波数内に常駐する。
【００３９】
最初に、ＮＢ−ＩｏＴシステムがスタンドアロンモード下で動作する、図３Ｂの実施例３５０を参照すると、非アンカキャリア３３０の周波数場所の複数のオプション３５０−１、３５０−２、３５０−３、および３５０−４が、アンカキャリア３１０の周波数場所３５０−０に対して提供される。示されるように、非アンカキャリア３３０の周波数場所３５０−１は、アンカキャリア３１０の周波数場所３５０−０から２キャリア帯域幅（すなわち、２×Ｂ）だけ正方向に離間され、非アンカキャリア３３０の周波数場所３５０−２は、アンカキャリア３１０の周波数場所３５０−０から１キャリア帯域幅（すなわち、１×Ｂ）だけ正方向に離間され、非アンカキャリア３３０の周波数場所３５０−３は、アンカキャリア３１０の周波数場所３５０−０から１キャリア帯域幅（すなわち、−１×Ｂ）だけ負方向に離間され、非アンカキャリア３３０の周波数場所３５０−４は、アンカキャリア３１０の周波数場所３５０−０から２キャリア帯域幅（すなわち、−２×Ｂ）だけ負方向に離間される。
【００４０】
ＮＢ−ＩｏＴシステムが非スタンドアロンモード下で動作する、図３Ｂの実施例３５２では、非アンカキャリア３３０の周波数場所の複数のオプション３５２−１、３５２−２、３５２−３、および３５２−４が、アンカキャリア３１０の周波数場所３５２−０に対して提供される。示されるように、非アンカキャリア３３０の周波数場所３５２−１は、アンカキャリア３１０の周波数場所３５２−０から１２キャリア帯域幅（すなわち、１２×Ｂ）だけ正方向に離間され、非アンカキャリア３３０の周波数場所３５２−２は、アンカキャリア３１０の周波数場所３５２−０から６キャリア帯域幅（すなわち、６×Ｂ）だけ正方向に離間され、非アンカキャリア３３０の周波数場所３５２−３は、アンカキャリア３１０の周波数場所３５２−０から６キャリア帯域幅（すなわち、−６×Ｂ）だけ負方向に離間され、非アンカキャリア３３０の周波数場所３５２−４は、アンカキャリア３１０の周波数場所３５２−０から１２キャリア帯域幅（すなわち、−１２×Ｂ）だけ負方向に離間される。
【００４１】
図３Ｂに提供される実施例３５０および３５２によると、ＮＢ−ＩｏＴシステムが、スタンドアロンモード下で動作するとき、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３５０−１および３５０−２間等）に第１のキャリア帯域幅間隔が存在し、ＮＢ−ＩｏＴシステムが、非スタンドアロンモード下で動作するとき、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３５２−１および３５２−２間等）に第２のキャリア帯域幅間隔が存在することに留意されたい。いくつかの実施形態では、第１のキャリア帯域幅間隔（例えば、Ｂ）は、第２のキャリア帯域幅間隔（例えば、６Ｂ）と異なる。
【００４２】
図３Ａの図示される実施形態によると、周波数場所３５０−０または３５２−０上でアンカキャリア３１０を使用して伝送される、ＭＩＢは、複数の周波数場所オプション３５０−１から３５０−４または複数の周波数場所オプション３５２−１から３５２−４のいずれかから１つを選択することによって、非アンカキャリア３３０の周波数場所を示してもよい。したがって、ＵＥ１０４（図１）が、アンカキャリア３１０上で伝送されるＭＩＢを受信し、次いで、読み取った後、ＵＥ１０４は、どの周波数場所を使用して、非アンカキャリア３３０上で伝送されるＳＩＢ１を受信すべきかを把握することができる。
【００４３】
図３Ｃおよび３Ｄはそれぞれ、ＮＢ−ＩｏＴシステムが、それぞれ、スタンドアロンモードと非スタンドアロンモードとの間で動作を切り替えるときの、アンカキャリア３１０の個別の周波数場所に対する非アンカキャリア３３０の周波数場所の他の例示的「分布」を提供する。図３Ｃおよび３Ｄは、図３Ｂに実質的に類似するため、図３Ｃおよび３Ｄの議論は、以下のように簡単に提供される。
【００４４】
ＮＢ−ＩｏＴシステムがスタンドアロンモード下で動作する、図３Ｃの実施例３５４では、非アンカキャリア３３０の周波数場所の複数のオプション３５４−１、３５４−２、３５４−３、および３５４−４が、アンカキャリア３１０の周波数場所３５４−０に対して提供される。示されるように、非アンカキャリア３３０の周波数場所３５４−１は、アンカキャリア３１０の周波数場所３５４−０から７キャリア帯域幅（すなわち、７×Ｂ）だけ正方向に離間され、非アンカキャリア３３０の周波数場所３５４−２は、アンカキャリア３１０の周波数場所３５４−０から１キャリア帯域幅（すなわち、１×Ｂ）だけ正方向に離間され、非アンカキャリア３３０の周波数場所３５４−３は、アンカキャリア３１０の周波数場所３５４−０から１キャリア帯域幅（すなわち、−１×Ｂ）だけ負方向に離間され、非アンカキャリア３３０の周波数場所３５４−４は、アンカキャリア３１０の周波数場所３５４−０から７２キャリア帯域幅（すなわち、−７×Ｂ）だけ負方向に離間される。
【００４５】
ＮＢ−ＩｏＴシステムが非スタンドアロンモード下で動作する、図３Ｃの実施例３５６では、非アンカキャリア３３０の周波数場所の複数のオプション３５６−１、３５６−２、３５６−３、および３５６−４が、アンカキャリア３１０の周波数場所３５６−０に対して提供される。示されるように、非アンカキャリア３３０の周波数場所３５６−１は、アンカキャリア３１０の周波数場所３５６−０から１２キャリア帯域幅（すなわち、１２×Ｂ）だけ正方向に離間され、非アンカキャリア３３０の周波数場所３５６−２は、アンカキャリア３１０の周波数場所３５６−０から３キャリア帯域幅（すなわち、３×Ｂ）だけ正方向に離間され、非アンカキャリア３３０の周波数場所３５６−３は、アンカキャリア３１０の周波数場所３５６−０から３キャリア帯域幅（すなわち、−３×Ｂ）だけ負方向に離間され、非アンカキャリア３３０の周波数場所３５６−４は、アンカキャリア３１０の周波数場所３５６−０から１２キャリア帯域幅（すなわち、−１２×Ｂ）だけ負方向に離間される。
【００４６】
図３Ｃに提供される実施例３５４および３５６によると、ＮＢ−ＩｏＴシステムが、スタンドアロンモード下で動作するとき、２つの個別の異なるキャリア帯域幅間隔（第１および第２のキャリア帯域幅間隔）が、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３５４−１および３５４−２間等）に存在し、ＮＢ−ＩｏＴシステムが、非スタンドアロンモード下で動作するとき、２つの個別の異なるキャリア帯域幅間隔（第３および第４のキャリア帯域幅間隔）が、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３５６−１および３５６−２間等）に存在することに留意されたい。いくつかの実施形態では、第１（例えば、Ｂ）、第２（例えば、６Ｂ）、第３（例えば、３Ｂ）、および第４（例えば、９Ｂ）キャリア帯域幅間隔は、相互に異なる。
【００４７】
ＮＢ−ＩｏＴシステムがスタンドアロンモード下で動作する、図３Ｄの実施例３５８では、非アンカキャリア３３０の周波数場所の複数のオプション３５８−１、３５８−２、３５８−３、および３５８−４が、アンカキャリア３１０の周波数場所３５８−０に対して提供される。示されるように、非アンカキャリア３３０の周波数場所３５８−１は、アンカキャリア３１０の周波数場所３５８−０から７キャリア帯域幅（すなわち、７×Ｂ）だけ正方向に離間され、非アンカキャリア３３０の周波数場所３５８−２は、アンカキャリア３１０の周波数場所３５８−０から１キャリア帯域幅（すなわち、１×Ｂ）だけ正方向に離間され、非アンカキャリア３３０の周波数場所３５８−３は、アンカキャリア３１０の周波数場所３５８−０から１キャリア帯域幅（すなわち、−１×Ｂ）だけ負方向に離間され、非アンカキャリア３３０の周波数場所３５８−４は、アンカキャリア３１０の周波数場所３５８−０から７キャリア帯域幅（すなわち、−７×Ｂ）だけ負方向に離間される。
【００４８】
ＮＢ−ＩｏＴシステムが非スタンドアロンモード下で動作する、図３Ｄの実施例３６０では、非アンカキャリア３３０の周波数場所の複数のオプション３６０−１、３６０−２、３６０−３、および３６０−４が、アンカキャリア３１０の周波数場所３６０−０に対して提供される。示されるように、非アンカキャリア３３０の周波数場所３６０−１は、アンカキャリア３１０の周波数場所３６０−０から１２キャリア帯域幅（すなわち、１２×Ｂ）だけ正方向に離間され、非アンカキャリア３３０の周波数場所３６０−２は、アンカキャリア３１０の周波数場所３６０−０から６キャリア帯域幅（すなわち、６×Ｂ）だけ正方向に離間され、非アンカキャリア３３０の周波数場所３６０−３は、アンカキャリア３１０の周波数場所３６０−０から６キャリア帯域幅（すなわち、−６×Ｂ）だけ負方向に離間され、非アンカキャリア３３０の周波数場所３６０−４は、アンカキャリア３１０の周波数場所３６０−０から１２キャリア帯域幅（すなわち、−１２×Ｂ）だけ負方向に離間される。
【００４９】
図３Ｄに提供される実施例３５８および３６０によると、ＮＢ−ＩｏＴシステムが、スタンドアロンモード下で動作するとき、個別の異なるキャリア帯域幅間隔（第１および第２のキャリア帯域幅間隔）が、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３５８−１および３５８−２間等）に存在し、ＮＢ−ＩｏＴシステムが、非スタンドアロンモード下で動作するとき、単一キャリア帯域幅間隔（第３のキャリア帯域幅間隔）が、任意の２つの隣接するキャリアの個別の周波数場所間（例えば、非アンカキャリア３３０およびアンカキャリア３１０のオプションのうちの１つの個別の周波数場所間、非アンカキャリア３３０の２つの隣接するオプションの個別の周波数場所、例えば、３６０−１および３６０−２間等）に存在することに留意されたい。いくつかの実施形態では、第１および第２のキャリア帯域幅間隔（例えば、Ｂおよび６Ｂ）はそれぞれ、第３のキャリア帯域幅間隔（例えば、６Ｂ）と異なるまたは同じであり得る。いくつかの代替実施形態では、ＮＢ−ＩｏＴシステムが、スタンドアロンモード下で動作するとき、単一キャリア帯域幅間隔が任意の２つの隣接するキャリアの個別の周波数場所間に存在してもよく、ＮＢ−ＩｏＴシステムが、非スタンドアロンモード下で動作するとき、個別の異なるキャリア帯域幅間隔が、任意の２つの隣接するキャリアの個別の周波数場所間に存在してもよい。
【００５０】
同様に、図３Ａの図示される実施形態によると、周波数場所（例えば、３５４−０、３５６−０、３５８−０、または３６０−０）上でアンカキャリア３１０を使用して伝送される、ＭＩＢは、複数の対応する周波数場所オプション（例えば、３５４−１から３５４−４、３５６−１から３５６−４、３５８−１から３５８−４、または３６０−１から３６０−４）から１つを選択することによって、非アンカキャリア３３０の周波数場所を示してもよい。したがって、ＵＥ１０４（図１）が、アンカキャリア３１０上で伝送されるＭＩＢを受信し、次いで、読み取った後、ＵＥ１０４は、どの周波数場所を使用して、非アンカキャリア３３０上で伝送されるＳＩＢ１を受信すべきかを把握することができる。
【００５１】
図４は、本開示のいくつかの実施形態による、それぞれ、アンカキャリア４１０および非アンカキャリア４３０の例示的フレーム構造を図示する。同様に、アンカキャリア４１０および非アンカキャリア４３０は、周波数ドメインに沿って、同一キャリア帯域幅「Ｂ」（例えば、１８０ｋＨｚ）を共有する。いくつかの実施形態では、アンカキャリア４１０および非アンカキャリア４３０は、個別の異なる周波数範囲を占有してもよい。換言すると、アンカキャリア４１０および非アンカキャリア４３０は、下記にさらに詳細に議論されるであろう、１つ以上のキャリア帯域幅Ｂによって、相互から離間され得る。
【００５２】
図４の図示される実施形態では、アンカキャリア４１０は、時間ドメインに沿って相互に結合される、フレーム４１０−１、４１０−２、４１０−３、および４１０−４を含み、非アンカキャリア４３０は、時間ドメインに沿って相互に結合される、フレーム４３０−１、４３０−２、４３０−３、および４３０−４を含む。いくつかの実施形態では、アンカキャリア４１０および非アンカキャリア４３０の個別のフレームはそれぞれ、それぞれ、サブフレームインデックス番号、例えば、０、１、２、３、４、５、６、７、８、または９と関連付けられる、１０のサブフレームを含む。さらに、図４の図示される実施形態では、ＰＳＳおよびＳＳＳを含む同期信号およびＭＩＢを含むパブリック信号の一部は、アンカキャリア４１０上で伝送され、ＳＩＢ１を含むパブリック信号の一部は、非アンカキャリア上４３０で伝送される。
【００５３】
より具体的には、いくつかの実施形態では、ＰＳＳは、フレーム４１０−１のサブフレーム番号０、フレーム４１０−２のサブフレーム番号０、フレーム４１０−３のサブフレーム番号０、およびフレーム４１０−４のサブフレーム番号０上で伝送され、ＳＳＳは、フレーム４１０−１のサブフレーム番号５上で伝送され、ＭＩＢは、フレーム４１０−２のサブフレーム番号５およびフレーム４１０−４のサブフレーム番号５上で伝送される。ＳＩＢ１は、フレーム４３０−１のサブフレーム番号０、４３０−２のサブフレーム番号０、フレーム４３０−３のサブフレーム番号０、およびフレーム４３０−４のサブフレーム番号０上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア４１０および非アンカキャリア４３０は、ＳＩＢ１によって使用されるサブフレームを、それぞれ、時間ドメインに沿って、ＰＳＳによって使用されるサブフレームの少なくとも一部と整合させる、ＴＤＤ伝送モードを利用する、ＮＢ−ＩｏＴシステムにおいて使用されてもよいことに留意されたい。
【００５４】
図３Ａの非アンカキャリア３３０のフレーム構造と比較して、図４の非アンカキャリア４３０のフレーム構造は、ＳＩＢ１を伝送するために使用され得るものより多くのサブフレームを含む。したがって、ＢＳ１０２が、図４の非アンカキャリア４３０のフレーム構造を使用して、ＳＩＢ１を伝送するとき、ＵＥ１０４は、応答的に、ＳＩＢ１をデコードするためにより少ない時間を費やし得、ＢＳ１０２が、図３Ａの非アンカキャリア３３０のフレーム構造を使用して、ＳＩＢ１を伝送するとき、ＵＥ１０４は、応答的に、ＳＩＢ１をデコードするためにより多くの時間を費やし得る。いくつかの実施形態では、個別のデコード要件に基づいて、ＢＳ１０２は、ＳＩＢ１の伝送に使用するための３３０と４３０との間のフレーム構造を決定してもよい。選択肢として、ＢＳ１０２は、ＭＩＢを使用して、非アンカキャリア内のどのサブフレーム（３３０または４３０）がＳＩＢ１を伝送するために使用されたかを示してもよい。例えば、ＭＩＢは、ＳＩＢ１がスケジューリング周期内で繰り返し伝送されるであろう回数を使用して、どのサブフレームがＳＩＢ１を伝送するために使用されるであろうかを暗示的に示す。特に、回数が、第１のサブセットに分類されるとき、ＳＩＢ１は、図３Ａに示されるようにサブフレームを使用して伝送され、回数が、第２のサブセットに分類されるとき、ＳＩＢ１は、図４に示されるようにサブフレームを使用して伝送されるであろう。
【００５５】
図４の図示される実施形態によると、個別の周波数場所（図示せず）上でアンカキャリア４１０を使用して伝送されるＰＳＳ、またはＳＳＳ、またはＭＩＢのいずれも、非アンカキャリア４３０の周波数場所を示さない。代わりに、アンカキャリア４１０の周波数場所に対する非アンカキャリア４３０の周波数場所が、ＮＢ−ＩｏＴシステムの前述のプロトコルによって事前に定義されてもよい。例えば、ＮＢ−ＩｏＴシステムが、スタンドアロンモード下で動作するとき、非アンカキャリア４３０の周波数場所は、アンカキャリア４１０の周波数場所から１キャリア帯域幅（すなわち、１×Ｂまたは−１×Ｂ）だけ正または負方向に離間されるように事前に定義されてもよく、ＮＢ−ＩｏＴシステムが、非スタンドアロンモード下で動作するとき、非アンカキャリア４３０の周波数場所は、アンカキャリア４１０の周波数場所から６キャリア帯域幅（すなわち、６×Ｂまたは−６×Ｂ）だけ正または負方向に離間されるように事前に定義されてもよい。
【００５６】
図５は、本開示のいくつかの実施形態による、それぞれ、アンカキャリア５１０および非アンカキャリア５３０の例示的フレーム構造を図示する。同様に、アンカキャリア５１０および非アンカキャリア５３０は、周波数ドメインに沿って、同一キャリア帯域幅「Ｂ」（例えば、１８０ｋＨｚ）を共有する。いくつかの実施形態では、アンカキャリア５１０および非アンカキャリア５３０は、個別の異なる周波数範囲を占有してもよい。換言すると、アンカキャリア５１０および非アンカキャリア５３０の個別の周波数場所は、下記にさらに詳細に議論されるであろう、１つ以上のキャリア帯域幅Ｂによって、相互から離間され得る。
【００５７】
図５の図示される実施形態では、アンカキャリア５１０は、時間ドメインに沿って相互に結合される、フレーム５１０−１、５１０−２、５１０−３、および５１０−４を含み、非アンカキャリア５３０は、時間ドメインに沿って相互に結合される、フレーム５３０−１、５３０−２、５３０−３、および５３０−４を含む。いくつかの実施形態では、アンカキャリア５１０および非アンカキャリア５３０の個別のフレームはそれぞれ、それぞれ、サブフレームインデックス番号、例えば、０、１、２、３、４、５、６、７、８、または９と関連付けられる、１０のサブフレームを含む。さらに、図５の図示される実施形態では、ＰＳＳおよびＳＳＳを含む同期信号およびＭＩＢを含むパブリック信号の一部は、アンカキャリア５１０上で伝送され、ＳＩＢ１を含むパブリック信号の一部は、非アンカキャリア５３０上で伝送される。
【００５８】
より具体的には、いくつかの実施形態では、ＰＳＳは、フレーム５１０−１のサブフレーム番号０、フレーム５１０−２のサブフレーム番号０、フレーム５１０−３のサブフレーム番号０、およびフレーム５１０−４のサブフレーム番号０上で伝送され、ＳＳＳは、フレーム５１０−１のサブフレーム番号５上で伝送され、ＭＩＢは、フレーム５１０−２のサブフレーム番号５、フレーム５１０−３のサブフレーム番号５、およびフレーム５１０−４のサブフレーム番号５上で伝送される。ＳＩＢ１は、フレーム５３０−１のサブフレーム番号０、フレーム５３０−２のサブフレーム番号０、フレーム５３０−３のサブフレーム番号０、およびフレーム５３０−４のサブフレーム番号０上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア５１０および非アンカキャリア５３０は、ＳＩＢ１によって使用されるサブフレームを、それぞれ、時間ドメインに沿って、ＰＳＳによって使用されるサブフレームの少なくとも一部と整合させる、ＴＤＤ伝送モードを利用する、ＮＢ−ＩｏＴシステムにおいて使用されてもよいことに留意されたい。
【００５９】
図４のアンカキャリア４１０のフレーム構造と比較して、図５のアンカキャリア５１０のフレーム構造は、ＭＩＢを伝送するために使用され得るものより多くのサブフレームを含む。したがって、ＢＳ１０２が、図４のアンカキャリア４１０のフレーム構造を使用して、ＭＩＢを伝送するとき、ＵＥ１０４は、応答的に、ＭＩＢをデコードするためにより多くの時間を費やし得、ＢＳ１０２が、図５の、アンカキャリア５１０のフレーム構造を使用して、ＭＩＢを伝送するとき、ＵＥ１０４は、応答的に、ＭＩＢをデコードするためにより少ない時間を費やし得る。いくつかの実施形態では、個別のデコード要件に基づいて、ＢＳ１０２は、ＭＩＢの伝送に使用するための４１０と５１０との間のフレーム構造を決定してもよい。選択肢として、ＵＥ１０４は、４１０または５１０内のどのサブフレームがＭＩＢを伝送するために使用されたかを盲目的にデコードしてもよい。
【００６０】
図５の図示される実施形態によると、個別の周波数場所（図示せず）上でアンカキャリア５１０を使用して伝送されるＳＳＳは、図３Ｂ、３Ｃ、および３Ｄに関して上記に議論されるように、複数の事前に定義された周波数場所オプションからの１つを選択することによって、非アンカキャリア５３０の周波数場所を示してもよい。したがって、ＵＥ１０４（図１）が、アンカキャリア５１０上で伝送されるＳＳＳを受信した後、ＵＥ１０４は、どの周波数場所を使用して、非アンカキャリア５３０上で伝送されるＳＩＢ１を受信すべきかを把握することができる。
【００６１】
さらに、ＳＳＳを使用して、非アンカキャリア５３０の周波数場所を示す、そのような実施形態では、ＢＳ１０２は、非アンカキャリア５３０の周波数場所を使用して、ＳＳＳのシーケンス「ｄ（ｎ）」を決定してもよい。故に、ＵＥ１０４は、ＳＳＳのシーケンス「ｄ（ｎ）」を使用して、非アンカキャリア５３０の示される周波数場所を推定してもよい。特に、ＵＥは、ＳＳＳのシーケンス「ｄ（ｎ）」の以下の方程式を使用して、非アンカキャリア５３０の示される周波数場所を推定してもよい。
【化１】
0006944550.tif 000002
さらに、
【化２】
0006944550.tif 000003
は、物理的セル識別（例えば、０〜５０３の値）を表し、
【化３】
0006944550.tif 000004
は、事前に定義されたシーケンスを表し、式中、ｑは、１、２、または３であることができ、ｉは、複数の事前に定義された周波数場所オプションのインデックス（例えば、本実施例では、０、１、２、３）を表す。
【００６２】
図６は、本開示のいくつかの実施形態による、それぞれ、アンカキャリア６１０および非アンカキャリア６３０の例示的フレーム構造を図示する。同様に、アンカキャリア６１０および非アンカキャリア６３０は、周波数ドメインに沿って、同一キャリア帯域幅「Ｂ」（例えば、１８０ｋＨｚ）を共有する。いくつかの実施形態では、アンカキャリア６１０および非アンカキャリア６３０は、個別の異なる周波数範囲を占有してもよい。換言すると、アンカキャリア６１０および非アンカキャリア６３０は、下記にさらに詳細に議論されるであろう、１つ以上のキャリア帯域幅Ｂによって、相互から離間され得る。
【００６３】
図６の図示される実施形態では、アンカキャリア６１０は、時間ドメインに沿って相互に結合される、フレーム６１０−１、６１０−２、６１０−３、および６１０−４を含み、非アンカキャリア６３０は、時間ドメインに沿って相互に結合される、フレーム６３０−１、６３０−２、６３０−３、および６３０−４を含む。いくつかの実施形態では、アンカキャリア６１０および非アンカキャリア６３０の個別のフレームはそれぞれ、それぞれ、サブフレームインデックス番号、例えば、０、１、２、３、４、５、６、７、８、または９と関連付けられる、１０のサブフレームを含む。さらに、図６の図示される実施形態では、ＰＳＳおよびＳＳＳを含む同期信号およびＭＩＢを含むパブリック信号の一部は、アンカキャリア６１０上で伝送され、ＳＩＢ１を含むパブリック信号の一部は、非アンカキャリア６３０上で伝送される。
【００６４】
より具体的には、いくつかの実施形態では、ＰＳＳは、フレーム６１０−１のサブフレーム番号５、フレーム６１０−２のサブフレーム番号５、フレーム６１０−３のサブフレーム番号５、およびフレーム６１０−４のサブフレーム番号５上で伝送され、ＳＳＳは、フレーム６１０−１のサブフレーム番号９およびフレーム６１０−３のサブフレーム番号９上で伝送され、ＭＩＢは、フレーム６１０−１のサブフレーム番号０、フレーム６１０−２のサブフレーム番号０、フレーム６１０−３のサブフレーム番号０、およびフレーム６１０−４のサブフレーム番号０上で伝送される。ＳＩＢ１は、フレーム６３０−１のサブフレーム番号４、フレーム６３０−２のサブフレーム番号４、フレーム６３０−３のサブフレーム番号４、およびフレーム６３０−４のサブフレーム番号４上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア６１０および非アンカキャリア６３０は、周波数ドメインデュプレックス（ＦＤＤ）伝送モードを利用する、ＮＢ−ＩｏＴシステムにおいて使用されてもよいことに留意されたい。
【００６５】
図６の図示される実施形態によると、個別の周波数場所上でアンカキャリア６１０を使用して伝送されるＭＩＢは、複数の事前に定義された周波数場所オプションからの１つを選択することによって、非アンカキャリア６３０の周波数場所を示してもよい。したがって、ＵＥ１０４（図１）が、アンカキャリア６１０上で伝送されるＭＩＢを受信し、次いで、読み取った後、ＵＥ１０４は、どの周波数場所を使用して、非アンカキャリア上６３０で伝送されるＳＩＢ１を受信すべきかを把握することができる。
【００６６】
図７は、本開示のいくつかの実施形態による、それぞれ、同期信号およびパブリック信号を伝送するために使用される、アンカキャリア７１０および非アンカキャリア７３０の例示的フレーム構造を図示する。同様に、アンカキャリア７１０および非アンカキャリア７３０は、周波数ドメインに沿って、同一キャリア帯域幅「Ｂ」（例えば、１８０ｋＨｚ）を共有する。いくつかの実施形態では、アンカキャリア７１０および非アンカキャリア７３０は、個別の異なる周波数範囲を占有してもよい。換言すると、アンカキャリアの７１０および非アンカキャリア７３０の個別の周波数場所は、下記にさらに詳細に議論されるであろう、１つ以上のキャリア帯域幅Ｂによって、相互から離間され得る。
【００６７】
図７の図示される実施形態では、アンカキャリア７１０は、時間ドメインに沿って相互に結合される、フレーム７１０−１、７１０−２、７１０−３、および７１０−４を含み、非アンカキャリア７３０は、時間ドメインに沿って相互に結合される、フレーム７３０−１、７３０−２、７３０−３、および７３０−４を含む。いくつかの実施形態では、アンカキャリア７１０および非アンカキャリア７３０の個別のフレームはそれぞれ、それぞれ、サブフレームインデックス番号、例えば、０、１、２、３、４、５、６、７、８、または９と関連付けられる、１０のサブフレームを含む。さらに、図７の図示される実施形態では、ＰＳＳおよびＳＳＳを含む同期信号は、アンカキャリア７１０上で伝送され、ＭＩＢおよびＳＩＢ１を含むパブリック信号は、非アンカキャリア７３０上で伝送される。
【００６８】
より具体的には、いくつかの実施形態では、ＰＳＳは、フレーム７１０−１のサブフレーム番号０、フレーム７１０−２のサブフレーム番号０、フレーム７１０−３のサブフレーム番号０、およびフレーム７１０−４のサブフレーム番号０上で伝送され、ＳＳＳは、フレーム７１０−１のサブフレーム番号５上で伝送される。ＭＩＢは、フレーム７３０−１のサブフレーム番号０およびフレーム７３０−３のサブフレーム番号０上で伝送され、ＳＩＢ１は、フレーム７３０−１のサブフレーム番号５およびフレーム７３０−３のサブフレーム番号５上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア７１０および非アンカキャリア７３０は、ＭＩＢによって使用されるサブフレームを、それぞれ、時間ドメインに沿って、ＰＳＳによって使用されるサブフレームの少なくとも一部と整合させる、ＴＤＤ伝送モードを利用する、ＮＢ−ＩｏＴシステムにおいて使用されてもよいことに留意されたい。
【００６９】
図７の図示される実施形態によると、個別の周波数場所（図示せず）上でアンカキャリア７１０を使用して伝送される、ＰＳＳまたはＳＳＳのいずれも、非アンカキャリア７３０の周波数場所を示さない。代わりに、アンカキャリア７１０の周波数場所に対する非アンカキャリア７３０の周波数場所が、ＮＢ−ＩｏＴシステムの前述のプロトコルによって事前に定義されてもよい。例えば、ＮＢ−ＩｏＴシステムが、スタンドアロンモード下で動作するとき、非アンカキャリア７３０の周波数場所は、アンカキャリア７１０の周波数場所から１キャリア帯域幅（すなわち、１×Ｂまたは−１×Ｂ）だけ正または負方向に離間されるように事前に定義されてもよく、ＮＢ−ＩｏＴシステムが、非スタンドアロンモード下で動作するとき、非アンカキャリア７３０の周波数場所は、アンカキャリア７１０の周波数場所から６キャリア帯域幅（すなわち、６×Ｂまたは−６×Ｂ）だけ正または負方向に離間されるように事前に定義されてもよい。
【００７０】
図８は、本開示のいくつかの実施形態による、それぞれ、同期信号およびパブリック信号を伝送するために使用される、アンカキャリア８１０および非アンカキャリア８３０の例示的フレーム構造を図示する。同様に、アンカキャリア８１０および非アンカキャリア８３０は、周波数ドメインに沿って、同一キャリア帯域幅「Ｂ」（例えば、１８０ｋＨｚ）を共有する。いくつかの実施形態では、アンカキャリア８１０および非アンカキャリア８３０は、個別の異なる周波数範囲を占有してもよい。換言すると、アンカキャリア８１０および非アンカキャリア８３０の個別の周波数場所は、下記にさらに詳細に議論されるであろう、１つ以上のキャリア帯域幅Ｂによって、相互から離間され得る。
【００７１】
図８の図示される実施形態では、アンカキャリア８１０は、時間ドメインに沿って相互に結合される、フレーム８１０−１、８１０−２、８１０−３、および８１０−４を含み、非アンカキャリア８３０は、時間ドメインに沿って相互に結合される、フレーム８３０−１、８３０−２、８３０−３、および８３０−４を含む。いくつかの実施形態では、アンカキャリア８１０および非アンカキャリア８３０の個別のフレームはそれぞれ、それぞれ、サブフレームインデックス番号、例えば、０、１、２、３、４、５、６、７、８、または９と関連付けられる、１０のサブフレームを含む。さらに、図８の図示される実施形態では、ＰＳＳおよびＳＳＳを含む同期信号は、アンカキャリア８１０上で伝送され、ＭＩＢおよびＳＩＢ１を含むパブリック信号は、非アンカキャリア８３０上で伝送される。
【００７２】
より具体的には、いくつかの実施形態では、ＰＳＳは、フレーム８１０−１のサブフレーム番号０、フレーム８１０−２のサブフレーム番号０、フレーム８１０−３のサブフレーム番号０、およびフレーム８１０−４のサブフレーム番号０上で伝送され、ＳＳＳは、フレーム８１０−１のサブフレーム番号５およびフレーム８１０−３のサブフレーム番号５上で伝送される。ＭＩＢは、フレーム８３０−１のサブフレーム番号０、フレーム８３０−２のサブフレーム番号０、フレーム８３０−３のサブフレーム番号０、およびフレーム８３０−４のサブフレーム番号０上で伝送され、ＳＩＢ１は、フレーム８３０−１のサブフレーム番号５、フレーム８３０−２のサブフレーム番号５、フレーム８３０−３のサブフレーム番号５、およびフレーム８３０−４のサブフレーム番号５上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア８１０および非アンカキャリア８３０は、ＭＩＢによって使用されるサブフレームを、それぞれ、時間ドメインに沿って、ＰＳＳによって使用されるサブフレームの少なくとも一部と整合させる、ＴＤＤ伝送モードを利用する、ＮＢ−ＩｏＴシステムにおいて使用されてもよいことに留意されたい。
【００７３】
図７の非アンカキャリア７３０のフレーム構造と比較して、図８の非アンカキャリア８３０のフレーム構造は、ＭＩＢを伝送するために使用され得るものより多くのサブフレームを含む。したがって、ＢＳ１０２が、図７の非アンカキャリア７３０のフレーム構造を使用して、ＭＩＢを伝送するとき、ＵＥ１０４は、応答的に、ＭＩＢをデコードするためにより多くの時間を費やし得、ＢＳ１０２が、図８の非アンカキャリア８３０のフレーム構造を使用して、ＭＩＢを伝送するとき、ＵＥ１０４は、応答的に、ＭＩＢをデコードするためにより少ない時間を費やし得る。いくつかの実施形態では、個別のデコード要件に基づいて、ＢＳ１０２は、ＭＩＢの伝送に使用するための７３０と８３０との間のフレーム構造を決定してもよい。選択肢として、ＵＥ１０４は、７３０または８３０内のどのサブフレームがＭＩＢを伝送するために使用されたかを盲目的にデコードしてもよい。
【００７４】
さらに、図７の非アンカキャリア７３０のフレーム構造と比較して、図８の非アンカキャリア８３０のフレーム構造は、ＳＩＢ１を伝送するために使用され得るものより多くのサブフレームを含む。したがって、ＢＳ１０２が、図８の非アンカキャリア８３０のフレーム構造を使用して、ＳＩＢ１を伝送するとき、ＵＥ１０４は、応答的に、ＳＩＢ１をデコードするためにより少ない時間を費やし得、ＢＳ１０２が、図７の非アンカキャリア７３０のフレーム構造を使用して、ＳＩＢ１を伝送するとき、ＵＥ１０４は、応答的に、ＳＩＢ１をデコードするためにより多くの時間を費やし得る。いくつかの実施形態では、個別のデコード要件に基づいて、ＢＳ１０２は、ＳＩＢ１の伝送に使用するための７３０と８３０との間のフレーム構造を決定してもよい。選択肢として、ＢＳ１０２は、ＭＩＢを使用して、非アンカキャリア（７３０または８３０）内のどのサブフレームがＳＩＢ１を伝送するために使用されたかを示してもよい。例えば、ＭＩＢは、ＳＩＢ１がスケジューリング周期内で繰り返し伝送されるであろう回数を使用して、どのサブフレームがＳＩＢ１を伝送するために使用されるであろうかを暗示的に示す。特に、回数が、第１のサブセットに分類されるとき、ＳＩＢ１は、図７に示されるようにサブフレームを使用して伝送され、回数が、第２のサブセットに分類されるとき、ＳＩＢ１は、図８に示されるようにサブフレームを使用して伝送されるであろう。
【００７５】
図８の図示される実施形態によると、個別の周波数場所（図示せず）上でアンカキャリア８１０を使用して伝送されるＳＳＳは、図３Ｂ、３Ｃ、および３Ｄに関して上記に議論されるように、複数の事前に定義された周波数場所オプションからの１つを選択することによって、非アンカキャリア８３０の周波数場所を示してもよい。したがって、ＵＥ１０４（図１）が、アンカキャリア８１０上で伝送されるＳＳＳを受信した後、ＵＥ１０４は、どの周波数場所を使用して、非アンカキャリア８３０上で伝送されるＳＩＢ１を受信すべきかを把握することができる。
【００７６】
さらに、ＳＳＳを使用して、非アンカキャリア８３０の周波数場所を示す、そのような実施形態では、ＢＳ１０２は、非アンカキャリア８３０の周波数場所を使用して、ＳＳＳのシーケンス「ｄ（ｎ）」を決定してもよい。故に、ＵＥ１０４は、ＳＳＳのシーケンス「ｄ（ｎ）」を使用して、非アンカキャリア８３０の示される周波数場所を推定してもよい。特に、ＵＥは、ＳＳＳのシーケンス「ｄ（ｎ）」の以下の方程式を使用して、非アンカキャリア８３０の示される周波数場所を推定してもよい。
【化４】
0006944550.tif 000005
さらに、
【化５】
0006944550.tif 000006
は、物理的セル識別（例えば、０〜５０３の値）を表し、
【化６】
0006944550.tif 000007
は、事前に定義されたシーケンスを表し、式中、ｑは、１、２、または３であることができ、ｉは、複数の事前に定義された周波数場所オプションのインデックス（例えば、本実施例では、０、１、２、３）を表す。
【００７７】
図９は、本開示のいくつかの実施形態による、それぞれ、同期信号およびパブリック信号を伝送するために使用される、アンカキャリア９１０および非アンカキャリア９３０の例示的フレーム構造を図示する。同様に、アンカキャリア９１０および非アンカキャリア９３０は、周波数ドメインに沿って、同一キャリア帯域幅「Ｂ」（例えば、１８０ｋＨｚ）を共有する。いくつかの実施形態では、アンカキャリア９１０および非アンカキャリア９３０は、個別の異なる周波数範囲を占有してもよい。換言すると、アンカキャリア９１０および非アンカキャリア９３０の個別の周波数場所は、下記にさらに詳細に議論されるであろう、１つ以上のキャリア帯域幅Ｂによって、相互から離間され得る。
【００７８】
図９の図示される実施形態では、アンカキャリア９１０は、時間ドメインに沿って相互に結合される、フレーム９１０−１、９１０−２、９１０−３、および９１０−４を含み、非アンカキャリア８３０は、時間ドメインに沿って相互に結合される、フレーム９３０−１、９３０−２、９３０−３、および９３０−４を含む。いくつかの実施形態では、アンカキャリア９１０および非アンカキャリア９３０の個別のフレームはそれぞれ、それぞれ、サブフレームインデックス番号、例えば、０、１、２、３、４、５、６、７、８、または９と関連付けられる、１０のサブフレームを含む。さらに、図９の図示される実施形態では、ＰＳＳおよびＳＳＳを含む同期信号は、アンカキャリア９１０上で伝送され、ＭＩＢおよびＳＩＢ１を含むパブリック信号は、非アンカキャリア９３０上で伝送される。
【００７９】
より具体的には、いくつかの実施形態では、ＰＳＳは、フレーム９１０−１のサブフレーム番号５、フレーム９１０−２のサブフレーム番号５、フレーム９１０−３のサブフレーム番号５、およびフレーム９１０−４のサブフレーム番号５上で伝送され、ＳＳＳは、フレーム９１０−２のサブフレーム番号９およびフレーム９１０−３のサブフレーム番号９上で伝送される。ＭＩＢは、フレーム９３０−１のサブフレーム番号０、フレーム９３０−２のサブフレーム番号０、フレーム９３０−３のサブフレーム番号０、およびフレーム９３０−４のサブフレーム番号０上で伝送され、ＳＩＢ１は、フレーム９３０−１のサブフレーム番号４、フレーム９３０−２のサブフレーム番号４、フレーム９３０−３のサブフレーム番号４、およびフレーム９３０−４のサブフレーム番号４上で伝送されることができる。例証を明確にするために、ＰＳＳ、ＳＳＳ、ＭＩＢ、およびＳＩＢ１を伝送するために使用される個別のサブフレームは、それぞれ、対角線ストライプパターン、ドットパターン、垂直ストライプパターン、および水平ストライプパターンで充填される。アンカキャリア９１０および非アンカキャリア９３０は、ＦＤＤ伝送モードを利用する、ＮＢ−ＩｏＴシステムにおいて使用されてもよいことに留意されたい。
【００８０】
図９の図示される実施形態によると、個別の周波数場所（図示せず）上でアンカキャリア９１０を使用して伝送されるＳＳＳは、図３Ｂ、３Ｃ、および３Ｄに関して上記に議論されるように、複数の事前に定義された周波数場所オプションからの１つを選択することによって、非アンカキャリア９３０の周波数場所を示してもよい。したがって、ＵＥ１０４（図１）が、アンカキャリア９１０上で伝送されるＳＳＳを受信した後、ＵＥ１０４は、どの周波数場所を使用して、非アンカキャリア９３０上で伝送されるＳＩＢ１を受信すべきかを把握することができる。
【００８１】
さらに、ＳＳＳを使用して、非アンカキャリア９３０の周波数場所を示す、そのような実施形態では、ＢＳ１０２は、非アンカキャリア９３０の周波数場所を使用して、ＳＳＳのシーケンス「ｄ（ｎ）」を決定してもよい。故に、ＵＥ１０４は、ＳＳＳのシーケンス「ｄ（ｎ）」を使用して、非アンカキャリア９３０の示される周波数場所を推定してもよい。特に、ＵＥは、ＳＳＳのシーケンス「ｄ（ｎ）」の以下の方程式を使用して、非アンカキャリア９３０の示される周波数場所を推定してもよい。
【化７】
0006944550.tif 000008
さらに、
【化８】
0006944550.tif 000009
は、物理的セル識別（例えば、０〜５０３の値）を表し、
【化９】
0006944550.tif 000010
は、事前に定義されたシーケンスを表し、式中、ｑは、１、２、または３であることができ、ｉは、複数の事前に定義された周波数場所オプションのインデックス（例えば、本実施例では、０、１、２、３）を表す。
【００８２】
さらに、いくつかの実施形態によると、ＳＩＢ１を伝送するために使用されるサブフレームは、物理的セル識別（ＰＣＩＤ）と、ＳＩＢ１がＭＩＢによって示されるようなスケジューリング周期内で繰り返し伝送されるであろう回数とによって決定される。フレーム８３０−１のサブフレーム番号５、フレーム８３０−２のサブフレーム番号５、フレーム８３０−３のサブフレーム番号５、およびフレーム８３０−４のサブフレーム番号５が、ＳＩＢ１を伝送するために使用され得る、ある実施例では（図８に示されるように）、スケジューリング周期は、２５６のフレームを横断してスパンし（すなわち、スケジューリング周期内の２５６のサブフレームが、ＳＩＢ１を伝送するために使用されることができる）、スケジューリング周期内のＳＩＢ１の１回の伝送は、８つのサブフレームを消費し、（ＳＩＢ１を繰り返し伝送するための）そのような周期内の最大回数は、３２である。ＭＩＢが、ＳＩＢ１がスケジューリング周期内で３２回繰り返し伝送されるであろうことを示すとき、フレーム８３０−１のサブフレーム番号５、フレーム８３０−２のサブフレーム番号５、フレーム８３０−３のサブフレーム番号５、およびフレーム８３０−４のサブフレーム番号５が、次いで、ＳＩＢ１を伝送するために使用されるものとして決定され、ＭＩＢが、ＳＩＢ１が１６回繰り返し伝送されるであろうことを示すとき、ＳＩＢ１を伝送するために使用されるものとして決定されるサブフレームは、奇数ＰＣＩＤに関しては、フレーム８３０−１のサブフレーム番号５およびフレーム８３０−３のサブフレーム番号５となる、または偶数ＰＣＩＤに関しては、フレーム８３０−２のサブフレーム番号５およびフレーム８３０−４のサブフレーム番号５となる。
【００８３】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００８４】
また、「第１」、「第２」等の指定を使用した本明細書における要素の任意の参照は、概して、それらの要素の量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得る、または第１の要素がある様式において、第２の要素に先行しなければならないことを意味するものではない。
【００８５】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、または任意のそれらの組み合わせによって表されることができる。
【００８６】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、またはこれらの技法の任意の組み合わせによって実装されることができることを理解するであろう。ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。
【００８７】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または任意のそれらの組み合わせを含み得る、集積回路（ＩＣ）内に実装される、またはそれによって実施されることができることを理解するであろう。論理ブロック、モジュール、および回路はさらに、アンテナおよび／または送受信器を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサ、または本明細書に説明される機能を実施するための任意の他の好適な構成の組み合わせとして実装されることができる。
【００８８】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る、任意の他の媒体を含むことができる。
【００８９】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００９０】
加えて、メモリまたは他の記憶装置および通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造または編成を示すのではなく、説明される機能性を提供するための好適な手段の参照にすぎない。
【００９１】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において制限されるように、本明細書に開示される新規特徴および原理と一致する最広範囲と見なされる。
【図１】
0006944550.tif 000011
【図２】
0006944550.tif 000012
【図３Ａ】
0006944550.tif 000013
【図３Ｂ】
0006944550.tif 000014
【図３Ｃ】
0006944550.tif 000015
【図３Ｄ】
0006944550.tif 000016
【図４】
0006944550.tif 000017
【図５】
0006944550.tif 000018
【図６】
0006944550.tif 000019
【図７】
0006944550.tif 000020
【図８】
0006944550.tif 000021
【図９】
0006944550.tif 000022